(57)【特許請求の範囲】
【請求項１】
入射した放射線を光に変換する変換手段と、複数の画素を有して構成され、前記変換手段で変換された光を前記複数の画素で電気信号に変換して前記放射線に基づく放射線画像の撮像を行う撮像手段とを含む放射線検出手段と、
前記放射線検出手段と共に遮光用の筐体内に設けられ、前記撮像手段の前記複数の画素を照明する照明手段と、
前記照明手段によって照明された光に基づいて前記撮像手段で撮像された照明画像を取得する照明画像取得手段と、
前記照明画像取得手段において異なるタイミングで取得された複数の照明画像を記憶する照明画像記憶手段と、
前記複数の照明画像のうちの少なくとも２つの照明画像それぞれに含まれる全ての画素における画素値の差分が、所定の閾値の範囲内であり、かつ前記撮像手段で得られた前記放射線画像に不正な画素が含まれていた場合、前記変換手段が経時変化していると判断し、前記所定の閾値の範囲内でない場合、前記放射線検出手段が経時変化していると判断する判断手段と
を有することを特徴とする放射線画像撮像システム。
【請求項２】
前記判断手段による判断の結果を送信する通信手段を更に有することを特徴とする請求項１に記載の放射線画像撮像システム。
【請求項３】
前記放射線検出手段、前記照明手段、前記照明画像取得手段、前記照明画像記憶手段、前記判断手段、及び、前記通信手段は、放射線画像撮像装置の内部に構成されていることを特徴とする請求項２に記載の放射線画像撮像システム。
【請求項４】
前記放射線検出手段、前記照明手段、前記照明画像取得手段、及び、前記照明画像記憶手段は、放射線画像撮像装置の内部に構成されており、更に、前記放射線画像撮像装置には、前記照明画像記憶手段に記憶されている照明画像を外部に送信する通信手段が構成されており、
前記判断手段は、前記通信手段から送信された、少なくとも２つの照明画像を用いて、前記放射線検出手段が経時変化したか否かを判断することを特徴とする請求項１に記載の放射線画像撮像システム。
【請求項５】
前記撮像手段は、アナログ信号からなる画像の撮像を行うものであり、
前記放射線画像撮像装置の内部には、
前記放射線検出手段を制御する制御手段と、
前記撮像手段で撮像されたアナログ信号からなる放射線画像及び照明画像を、それぞれ、デジタル信号からなる放射線画像及び照明画像に変換する画像変換手段と、
前記画像変換手段で変換されたデジタル信号からなる放射線画像を記憶する放射線画像記憶手段と、
前記放射線画像記憶手段に記憶されている放射線画像に対して画像処理を施す画像処理手段と
が更に構成されており、
前記照明画像記憶手段は、前記画像変換手段で変換されたデジタル信号からなる照明画像を記憶することを特徴とする請求項３又は４に記載の放射線画像撮像システム。
【請求項６】
前記照明手段は、ＥＬ（Electro Luminescence）、ＬＥＤ（Light Emitting Diode）、及び、蛍光管のうちのいずれかであることを特徴とする請求項１乃至５のいずれか１項に記載の放射線画像撮像システム。
【請求項７】
入射した放射線を光に変換する変換手段と、複数の画素を有して構成され、前記変換手段で変換された光を前記複数の画素で電気信号に変換して前記放射線に基づく放射線画像の撮像を行う撮像手段とを含む放射線検出手段と、
前記放射線検出手段と共に遮光用の筐体内に設けられ、前記撮像手段の前記複数の画素を照明する照明手段と
を含む放射線画像撮像システムの駆動方法であって、
前記照明手段を用いて前記撮像手段の前記複数の画素を照明する照射ステップと、
前記照明手段によって照明された光に基づいて前記撮像手段で撮像された照明画像を取得する照明画像取得ステップと、
前記照明画像取得ステップにおいて異なるタイミングで取得された複数の照明画像を照明画像記憶手段に記憶する照明画像記憶ステップと、
前記複数の照明画像のうちの少なくとも２つの照明画像それぞれに含まれる全ての画素における画素値の差分が、所定の閾値の範囲内であり、かつ前記撮像手段で得られた前記放射線画像に不正な画素が含まれていた場合、前記変換手段が経時変化していると判断し、前記所定の閾値の範囲内でない場合、前記放射線検出手段が経時変化していると判断する判断ステップと
を有することを特徴とする放射線画像撮像システムの駆動方法。
【発明の詳細な説明】
【技術分野】
【０００１】
本発明は、放射線画像の撮像（撮影）を行う放射線画像撮像システム及びその駆動方法に関するものである。
【背景技術】
【０００２】
一般に、放射線画像撮像システム（放射線画像撮像装置を含む）は、医療用放射線撮影や工業用非破壊放射線撮影などで使用されている。ここで、その使用形態の一例について、図８を用いて説明する。
【０００３】
図８は、従来例を示し、放射線画像撮像装置の概略構成の一例を示す模式図である。
図８に示す放射線画像撮像装置１１００において、筐体１１１０の内部には、グリッド１１１１、蛍光体１１１２、光電変換部１１１３及び面状発光体１１１４が構成されている。ここで、蛍光体１１１２及び光電変換部１１１３は、放射線検出部１１１５を構成する。また、筐体１１１０の内部は、外光から遮光されている。また、光電変換部１１１３は、例えば、ガラス基板で形成されている。
【０００４】
放射線源１２００から被写体１０００に放射線１２００Ａが放射されると、放射線１２００Ａは、被写体１０００との相互作用（散乱や吸収など）により当該被写体１０００の構造に応じて強度変調かつ散乱され、放射線像として放射線検出部１１１５に入射する。
【０００５】
この放射線検出部１１１５に放射線（放射線像）が入射する前に、グリッド１１１１において、被写体１０００から発生する不要な散乱放射線が除去され、その後、放射線検出部１１１５の蛍光体１１１２に放射線（放射線像）が入射する。蛍光体１１１２は、放射線の照射線量に比例した強度の蛍光を発する特性を有しているため、グリッド１１１１を介して入射した放射線像は、蛍光体１１１２において、可視光像に変換される。そして、この可視光像は、光電変換部１１１３によりアナログ信号からなる放射線画像（アナログ放射線画像）として検出されて撮像される。
【０００６】
その後、アナログ放射線画像は、Ａ／Ｄ変換部１１２０においてデジタル信号（デジタル放射線画像）に変換されて、メモリ１１３０に記憶される。また、メモリ１１３０に記憶されたデジタル放射線画像は、画像処理部１１４０において、画像処理を施される。この際、画像処理としては、例えば、放射線検出部１１１５の特性を補正する処理として、ゲインのばらつきを補正する処理や、オフセットを補正する処理などが挙げられる。
【０００７】
画像処理部１１４０で画像処理されたデジタル放射線画像は、通信部１１５０から放射線画像撮像装置１１００の外部へ出力される。また、制御部１１６０は、放射線検出部１１１５や面状発光体１１１４の動作全般を制御する。例えば、制御部１１６０は、放射線検出部１１１５の駆動方法や後述する較正作業の実施など、さまざまな制御を行う。
【０００８】
ここで、光電変換部１１１３を利用することの利点について、以下に説明する。
まず、画像を直接、デジタルデータとして取得できるので、画像処理が容易になり、不適切な撮影条件の補正や関心領域の画像強調などが容易にできる。また、インターネットなどの通信回線を使用することで、専門医師が不在の遠隔地の患者に対する診断を大病院にいる専門医師が行うことができる。また、画像のデジタルデータを光磁気ディスクなどに保存すれば、フィルムを保存するのに比べて保存スペースを減少することができる。また、データベースと連携することにより過去の画像を容易に検索することができるので、フィルムを検索するのに比べて容易に参照画像を提示することが可能となる。
【０００９】
また、図８において、面状発光体１１１４は、光電変換部１１１３に一様な照度分布を与えるための光を発する光源である。光電変換部１１１３のガラス基板裏面１１１３Ｂ側から面状発光体１１１４を発光させると、ガラス基板表面１１１３Ａに形成されている複数の画素が照明される。以上、説明した構成の放射線画像撮像装置としては、例えば、下記の特許文献１が参考となる。
【００１０】
上述した構成の放射線画像撮像装置１１００を所期の性能を維持した状態で使用するためには、経時的に変化する放射線検出部１１１５の特性を較正することが必要であり、この較正作業は、使用者（例えば、病院に勤務する放射線技師など）が通常実施する。また、較正作業の頻度は、その施設の運用ルールに任されているのが現状である。即ち、施設の運用ルールにより、毎日始業時に実施する施設もあれば、半年に一度の割合で実施する施設も存在する。
【００１１】
ここで、較正作業の一例として、放射線検出部１１１５のゲインのばらつきを補正するための補正用画像を取得する場合について説明する。
【００１２】
一般的に、ゲインのばらつきを補正するための補正用画像を取得する場合、まず、使用者は、放射線源１２００と放射線画像撮像装置１１００を適正な位置に配置する。この際、適正な位置とは、例えば、放射線源１２００から放射される放射線１２００Ａが放射線検出部１１１５の全体に照射される位置である。次に、使用者は、放射線１２００Ａの発生に係る放射線源１２００の管電圧や管電流を適切な値に設定し、実際に、放射線検出部１１１５に向かって放射線１２００Ａを照射する。この際、被写体１０００は、配置せずに照射を行う。そして、この照射で得られた画像をデジタル化し、画像処理することにより、ゲインばらつきを補正するための補正用画像が取得される。
【００１３】
【特許文献１】特許第３６８４０１０号公報
【発明の開示】
【発明が解決しようとする課題】
【００１４】
このように、較正作業は、使用者にとって手間のかかる作業であり、この較正作業を毎日始業時に実施することは使用者にとって大きな負担である。また、上述したように、較正作業は、経時的に変化する放射線検出部の特性を較正することが目的である。したがって、放射線検出部の経時変化が無い場合には実施する必要が無いにも拘わらず、使用者は運用ルールに従い、較正作業を実施しているのが現状である。
【００１５】
また、較正作業を行わずに放射線画像撮像装置を使用し続けている場合には、放射線検出部の特性が経時的に変化するので、放射線を照射して得られた放射線画像のコントラストが低下していくことになる。したがって、この場合、使用者は、コントラストの低下に気づいてから較正作業を行うことになる。即ち、使用者は、実際の撮影で得られた放射線画像を目視し、コントラストの低下に気づいてから較正作業を実施することになる。したがって、この場合、較正作業後に、正常な放射線画像を再度取得することになるため、被写体に対して放射線の再照射をしなければならず、被写体は無駄な被曝を被っていた。
【００１６】
本発明は上述した問題点に鑑みてなされたものであり、放射線検出部の特性に対する較正作業の有無を使用者が把握できるようにすることを目的とする。
【課題を解決するための手段】
【００１７】
本発明の放射線画像撮像システムは、入射した放射線を光に変換する変換手段と、複数の画素を有して構成され、前記変換手段で変換された光を前記複数の画素で電気信号に変換して前記放射線に基づく放射線画像の撮像を行う撮像手段とを含む放射線検出手段と、前記放射線検出手段と共に遮光用の筐体内に設けられ、前記撮像手段の前記複数の画素を照明する照明手段と、前記照明手段によって照明された光に基づいて前記撮像手段で撮像された照明画像を取得する照明画像取得手段と、前記照明画像取得手段において異なるタイミングで取得された複数の照明画像を記憶する照明画像記憶手段と、前記複数の照明画像のうちの少なくとも２つの照明画像それぞれに含まれる全ての画素における画素値の差分が、所定の閾値の範囲内であり、かつ前記撮像手段で得られた前記放射線画像に不正な画素が含まれていた場合、前記変換手段が経時変化していると判断し、前記所定の閾値の範囲内でない場合、前記放射線検出手段が経時変化していると判断する判断手段とを有する。
【００１９】
本発明の放射線画像撮像システムの駆動方法は、入射した放射線を光に変換する変換手段と、複数の画素を有して構成され、前記変換手段で変換された光を前記複数の画素で電気信号に変換して前記放射線に基づく放射線画像の撮像を行う撮像手段とを含む放射線検出手段と、前記放射線検出手段と共に遮光用の筐体内に設けられ、前記撮像手段の前記複数の画素を照明する照明手段とを含む放射線画像撮像システムの駆動方法であって、前記照明手段を用いて前記撮像手段の前記複数の画素を照明する照射ステップと、前記照明手段によって照明された光に基づいて前記撮像手段で撮像された照明画像を取得する照明画像取得ステップと、前記照明画像取得ステップにおいて異なるタイミングで取得された複数の照明画像を照明画像記憶手段に記憶する照明画像記憶ステップと、前記複数の照明画像のうちの少なくとも２つの照明画像それぞれに含まれる全ての画素における画素値の差分が、所定の閾値の範囲内であり、かつ前記撮像手段で得られた前記放射線画像に不正な画素が含まれていた場合、前記変換手段が経時変化していると判断し、前記所定の閾値の範囲内でない場合、前記放射線検出手段が経時変化していると判断する判断ステップとを有する。
【発明の効果】
【００２１】
本発明によれば、放射線検出部の特性に対する較正作業の有無を使用者が把握することができる。
【発明を実施するための最良の形態】
【００２２】
以下、本発明を実施するための最良の形態について図面を参照しながら説明する。なお、以下に説明する本発明の実施形態としては、主に医療用放射線撮影で使用される形態について述べるが、本発明は、医療用放射線撮影の使用だけに限らず、工業用非破壊放射線撮影時などにも適用することが可能である。
【００２３】
（第１の実施形態）
まず、本発明の第１の実施形態について説明する。
図１は、本発明の第１の実施形態に係る放射線画像撮像装置の概略構成の一例を示す模式図である。
【００２４】
図１に示す放射線画像撮像装置１００において、筐体１０１の内部には、グリッド１０１１、蛍光体１０１２、光電変換部１０１３及び面状発光体１０１４が構成されている。ここで、蛍光体１０１２及び光電変換部１０１３は、放射線検出部１０１５を構成する。また、筐体１０１の内部は、外光から遮光されている。また、光電変換部１０１３は、例えば、ガラス基板で形成されている。
【００２５】
また、放射線画像撮像装置１００は、図６に示す放射線画像撮像装置１１００と同様に、Ａ／Ｄ変換部１０２、メモリ１０３、画像処理部１０４、通信部１０５、及び、制御部１０６を備えている。更に、放射線画像撮像装置１００は、照明画像取得部１０７、Ａ／Ｄ変換部１０８、照明画像記憶部１０９、照明画像比較部１１０、及び、特性判断部１１１を有して構成されている。
【００２６】
放射線源２０１は、例えばＸ線等の放射線２０１Ａを発生させるものであり、被写体１０００の放射線撮影を行う際には、被写体１０００に対して、放射線２０１Ａを放射する。そして、放射線源１２００から被写体１０００に放射された放射線１２００Ａのうち、被写体１０００を透過した放射線は、放射線像として放射線画像撮像装置１００に入射する。
【００２７】
放射線画像撮像装置１００に入射した放射線（放射線像）は、筐体１０１の内部に入射し、グリッド１０１１を介して放射線検出部１０１５に入射する。この際、グリッド１０１１では、被写体１０００から発生する不要な散乱放射線が除去される。このグリッド１０１１は、例えば、鉛板やアルミニウム板などから構成されており、また、グリッド１０１１は、図１に示すように、筐体１０１の内部に内蔵される形態でも良いし、着脱可能な形態であっても良い。
【００２８】
蛍光体１０１２は、入射した放射線（放射線像）を光に変換する変換手段である。具体的に、蛍光体１０１２は、入射した放射線（放射線像）の照射線量に比例した強度の蛍光を発する特性を有しており、蛍光体１０１２は、この特性に基づいて、入射した放射線（放射線像）を可視光（可視光像）に変換するものである。この蛍光体１０１２は、例えば、増感紙またはＣｓＩ（ヨウ化セシウム）などから構成されている。
【００２９】
光電変換部１０１３は、例えば、複数の画素を有して構成されている。この光電変換部１０１３は、蛍光体１０１２によって変換された可視光（可視光像）を当該複数の画素で電気信号に変換して、放射線検出部１０１５に入射した放射線（放射線像）に基づく放射線画像の撮像を行う撮像手段である。具体的に、光電変換部１０１３は、蛍光体１０１２によって変換された可視光像をアナログ信号からなる放射線画像（アナログ放射線画像）として撮像する。この光電変換部１０１３は、例えば、ガラス基板にアモルファスシリコンなどの半導体が形成されて構成されている。
【００３０】
さらに、光電変換部１０１３は、後述の面状発光体１０１４によって照明された光を複数の画素で電気信号に変換して、当該照明された光に基づく、アナログ信号からなる照明画像（アナログ照明画像）を撮像する機能も有する。
【００３１】
面状発光体１０１４は、放射線検出部１０１５と共に遮光用の筐体内（筐体１０１内）に設けられ、光電変換部１０１３に構成されている複数の画素を照明する照明手段である。具体的に、面状発光体１０１４は、光電変換部１０１３の画素に一様な照度分布を与えるための光を発するものである。この面状発光体１０１４としては、ＥＬ（Electro Luminescence）、ＬＥＤ（Light Emitting Diode）、及び、蛍光管のうちのいずれかを適用することが好適である。なお、この面状発光体１０１４としては、これに限定されるものではなく、他の構成で形成されていても良い。
【００３２】
面状発光体１０１４による画素の照明方法としては、光電変換部１０１３の画素が透明電極を有する場合には、ガラス基板裏面１０１３Ｂ側から当該ガラス基板を通じて直接、照明をすることが可能である。また、光電変換部１０１３の画素が透明電極を有さない場合には、隣接する画素との間の隙間を通過した光が蛍光体１０１２で拡散反射することによって、ガラス基板表面１０１３Ａ側から間接的に照明をすることが可能である。また、仮に、面状発光体１０１４の照度分布が十分に一様でない場合には、ガラス基板裏面１０１３Ｂを拡散面にすることによって、照度分布を一様にすることも可能である。
【００３３】
Ａ／Ｄ変換部１０２は、光電変換部１０１３によって撮像されたアナログ放射線画像を、デジタル信号からなる放射線画像（デジタル放射線画像）に変換する画像変換手段である。
【００３４】
メモリ１０３は、例えば、Ａ／Ｄ変換部１０２で変換されたデジタル放射線画像を記憶する放射線画像記憶手段である。この際、メモリ１０３には、放射線画像の画像データとして記憶される。
【００３５】
画像処理部１０４は、例えば、メモリ１０３に記憶されているデジタル放射線画像に対して画像処理を施すものである。この際、画像処理としては、例えば、放射線検出部１０１５の特性を補正する処理として、ゲインのばらつきを補正する処理や、オフセットを補正する処理などが行われる。
【００３６】
通信部１０５は、例えば、メモリ１０３に記憶されているデジタル放射線画像や、後述の特性判断部１１１による判断の結果などの各種の情報を放射線画像撮像装置１００の外部に送信する処理を行う。この際、通信部１０５における通信インターフェースとしては、例えば、イーサネット（登録商標）や、光ファイバ、カメラリンクなどの適用が考えられるが、これらのインターフェースに特に限定されるものではない。
【００３７】
制御部１０６は、放射線検出部１０１５や面状発光体１０１４を含む当該放射線画像撮像装置１００の動作全般を制御する。
【００３８】
照明画像取得部１０７は、面状発光体１０１４によって照明された光に基づいて光電変換部１０１３で撮像されたアナログ照明画像を取得する処理を行う。
【００３９】
Ａ／Ｄ変換部１０８は、照明画像取得部１０７で取得したアナログ照明画像を、デジタル信号からなる照明画像（デジタル照明画像）に変換する画像変換手段である。なお、このＡ／Ｄ変換部１０８は、Ａ／Ｄ変換部１０２と同様の機能を有している場合には、当該Ａ／Ｄ変換部１０８とＡ／Ｄ変換部１０２とを１つのＡ／Ｄ変換部で兼用して処理を行う形態であっても良い。
【００４０】
照明画像記憶部１０９は、照明画像取得部１０７において取得され、Ａ／Ｄ変換部１０８で変換されたデジタル照明画像を記憶する。この照明画像記憶部１０９には、照明画像取得部１０７において異なるタイミングで取得されたアナログ照明画像に基づく複数のデジタル照明画像が記憶されている。この際、照明画像記憶部１０９には、照明画像の画像データとして記憶される。また、照明画像記憶部１０９は、上述したメモリ１０３と同様のデバイスであっても良いし、或いは、ＨＤＤなどの一般的な記憶デバイスでも良い。さらには、メモリ１０３を照明画像記憶部１０９の代替として使用する形態であっても良い。
【００４１】
照明画像比較部１１０は、照明画像記憶部１０９に記憶されている少なくとも２つのデジタル照明画像を比較する処理を行う。より具体的に、本実施形態では、照明画像比較部１１０は、照明画像記憶部１０９に記憶されている、基準となるデジタル照明画像（基準照明画像）と、ある任意のタイミングで取得された比較対象のデジタル照明画像（比較用照明画像）とを比較する処理を行う。
【００４２】
ここで、基準照明画像の取得タイミング（撮影タイミング）の一例について説明する。
照明画像取得部１０７によって取得される基準照明画像の取得タイミングは、制御部１０６の制御により決定される。この場合、例えば、基準照明画像は、放射線画像撮像装置１００の工場出荷時や病院設置時などの、放射線検出部１０１５の特性変化の基準となるタイミングで取得され、照明画像記憶部１０９に記憶される。また、例えば、基準照明画像は、使用者が較正作業を実施した後のタイミングで取得されたものであっても良い。
また、基準照明画像の取得タイミングは、制御部１０６の制御により自動的に決定する形態であっても、使用者からの基準照明画像の撮影指示を契機として決定する形態のいずれであっても良い。ここで、使用者からの基準照明画像の撮影指示を契機として決定する形態の場合には、例えば、後述の図２に示す操作装置２０６から入力された基準照明画像撮影指示をＣＰＵ２０３が検知する。そして、ＣＰＵ２０３から当該基準照明画像撮影指示を受けたことを契機として、制御部１０６が基準照明画像の取得タイミングを決定する。
【００４３】
次に、比較用照明画像の取得タイミング（撮影タイミング）の一例について説明する。
この比較用照明画像の取得タイミングも、基準照明画像の取得タイミングと同様に、制御部１０６の制御により決定される。例えば、比較用照明画像は、放射線画像撮像装置１００の起動時や、或いは、病院内での使用であれば患者の放射線撮影の合間などのタイミングで取得され、照明画像記憶部１０９に記憶される。
【００４４】
特性判断部１１１は、照明画像比較部１１０による比較の結果に基づいて、放射線検出部１０１５の特性が変化したか否かを判断する処理を行う。
【００４５】
ここで、照明画像比較部１１０による比較方法、並びに、特性判断部１１１による放射線検出部１０１５の特性に係る判断処理の一例について説明する。
【００４６】
まず、第１の例について説明する。
第１の例では、照明画像比較部１１０は、基準照明画像の画素値の平均値と比較用照明画像の画素値の平均値とを比較し、その比較の結果算出された平均値の差を特性判断部１１１に通知する。特性判断部１１１は、照明画像比較部１１０から通知された平均値の差が、予め設定された閾値の範囲内に収まっているか否かを判断する。この場合、特性判断部１１１は、当該平均値の差が、閾値の範囲内に収まっている場合には放射線検出部１０１５の特性が経時変化していないと判断し、閾値の範囲内に収まっていない場合には放射線検出部１０１５の特性が経時変化していると判断する。
【００４７】
続いて、第２の例について説明する。
第２の例では、照明画像比較部１１０は、基準照明画像の画素値の分散値と比較用照明画像の画素値の分散値とを比較し、その比較の結果算出された分散値の差を特性判断部１１１に通知する。特性判断部１１１は、照明画像比較部１１０から通知された分散値の差が、予め設定された閾値の範囲内に収まっているか否かを判断する。この場合、特性判断部１１１は、当該分散値の差が、閾値の範囲内に収まっている場合には放射線検出部１０１５の特性が経時変化していないと判断し、閾値の範囲内に収まっていない場合には放射線検出部１０１５の特性が経時変化していると判断する。
【００４８】
続いて、第３の例について説明する。
第３の例では、照明画像比較部１１０は、基準照明画像の画素値の最大値及び最小値と比較用照明画像の画素値の最大値及び最小値とを比較し、その比較の結果算出された最大値及び最小値の差を特性判断部１１１に通知する。特性判断部１１１は、照明画像比較部１１０から通知された最大値及び最小値の差が、予め設定された閾値の範囲内に収まっているか否かを判断する。この場合、特性判断部１１１は、当該最大値及び最小値の差が、閾値の範囲内に収まっている場合には放射線検出部１０１５の特性が経時変化していないと判断し、閾値の範囲内に収まっていない場合には放射線検出部１０１５の特性が経時変化していると判断する。
【００４９】
続いて、第４の例について説明する。
第４の例では、照明画像比較部１１０は、基準照明画像の画素値の中央値と比較用照明画像の画素値の中央値とを比較し、その比較の結果算出された中央値の差を特性判断部１１１に通知する。特性判断部１１１は、照明画像比較部１１０から通知された中央値の差が、予め設定された閾値の範囲内に収まっているか否かを判断する。この場合、特性判断部１１１は、当該中央値の差が、閾値の範囲内に収まっている場合には放射線検出部１０１５の特性が経時変化していないと判断し、閾値の範囲内に収まっていない場合には放射線検出部１０１５の特性が経時変化していると判断する。
【００５０】
続いて、第５の例について説明する。
第５の例では、照明画像比較部１１０は、基準照明画像の全ての画素値と比較用照明画像の全ての画素値とを比較し、その比較の結果算出された全ての画素値の差を特性判断部１１１に通知する。特性判断部１１１は、照明画像比較部１１０から通知された全ての画素値の差が、予め設定された閾値の範囲内に収まっているか否かを判断する。この場合、特性判断部１１１は、当該全ての画素値の差が、閾値の範囲内に収まっている場合には放射線検出部１０１５の特性が経時変化していないと判断し、閾値の範囲内に収まっていない場合には放射線検出部１０１５の特性が経時変化していると判断する。
【００５１】
続いて、第６の例について説明する。
第６の例では、照明画像比較部１１０は、基準照明画像の画素値のヒストグラムと比較用照明画像の画素値のヒストグラムとを比較し、その比較の結果算出されたヒストグラムの差を特性判断部１１１に通知する。特性判断部１１１は、照明画像比較部１１０から通知されたヒストグラムの差が、予め設定された閾値の範囲内に収まっているか否かを判断する。この場合、特性判断部１１１は、当該ヒストグラムの差が、閾値の範囲内に収まっている場合には放射線検出部１０１５の特性が経時変化していないと判断し、閾値の範囲内に収まっていない場合には放射線検出部１０１５の特性が経時変化していると判断する。
【００５２】
なお、上述した照明画像比較部１１０の比較方法、並びに、特性判断部１１１による放射線検出部１０１５の特性に係る判断処理は一例であり、これに限定されるものではない。
【００５３】
そして、特性判断部１１１による判断の結果は、通信部１０５を介して放射線画像撮像装置１００の外部に送信される。
【００５４】
次に、図１に示す放射線画像撮像装置１００を含む放射線画像撮像システムについて説明する。
【００５５】
図２は、本発明の第１の実施形態に係る放射線画像撮像システムの概略構成の一例を示す模式図である。なお、図２において、図１に示す構成と同様の構成については、同じ符号を付しており、その詳細な説明は省略する。
【００５６】
図２に示す放射線画像撮像システム１０には、図１に示す放射線画像撮像装置１００を含み構成されている。また、放射線画像撮像システム１０には、図１に示す放射線源２０１に関する構成として、放射線発生装置２０２と、撮影ボタン２１１が設けられている。さらに、放射線画像撮像システム１０には、ＣＰＵ２０３と、メモリ２０４と、記憶デバイス２０５と、操作装置２０６と、表示装置２０７と、バス２０８と、通信装置２０９と、通信インターフェース２１０を有して構成されている。
【００５７】
放射線発生装置２０２は、放射線源２０１から放射線を発生させるための装置である。撮影ボタン２１１は、放射線発生装置２０２に対して放射線の発生を指示するボタンである。
【００５８】
ＣＰＵ２０３は、放射線画像撮像システム１０の全体の動作を統括的に制御するものである。メモリ２０４には、例えば、ＣＰＵ２０３が行う制御に必要なプログラムやデータ等が記憶されている。また、メモリ２０４は、必要に応じて、放射線画像撮像装置１００で撮像（撮影）された放射線画像や照明画像、或いは、放射線画像撮像装置１００から送信された各種の情報を記憶する。
【００５９】
記憶デバイス２０５は、放射線画像撮像装置１００で撮像（撮影）された放射線画像や照明画像、或いは、放射線画像撮像装置１００から送信された各種の情報を記憶する。
【００６０】
操作装置２０６は、使用者が当該放射線画像撮像システム１０に対して入力指示を行う際に操作されるものである。例えば、操作装置２０６は、放射線撮影における種々の設定などを行う際に操作されるものである。
【００６１】
表示装置２０７は、例えば、放射線撮影で取得された被写体１０００に係る放射線画像や、放射線撮影における種々の設定情報を含む各種の情報を表示するものである。
【００６２】
バス２０８は、放射線発生装置２０２、ＣＰＵ２０３、メモリ２０４、記憶デバイス２０５、操作装置２０６、表示装置２０７及び通信装置２０９を通信可能に接続するためのバスである。
【００６３】
通信装置２０９は、放射線画像撮像装置１００と通信を行うための装置である。通信インターフェース２１０は、放射線画像撮像装置１００と通信装置２０９とを通信可能に接続するためのインターフェースである。例えば、通信インターフェース２１０は、放射線画像撮像装置１００から出力される各種の画像データや各種の情報（コマンドを含む）を通信装置２０９へ通知すると共に、ＣＰＵ２０３のコマンド等を通信装置２０９から放射線画像撮像装置１００へ通知する。なお、通信インターフェース２１０は、例えば、イーサネットや、光ファイバ、カメラリンクなどの一般的なインターフェースの適用が考えられるが、これらのインターフェースに特に限定されるものではない。
【００６４】
被写体１０００の放射線画像を撮影する場合について、以下に説明する。
まず、使用者が被写体１０００を放射線画像撮像装置１００へ整位させ、その後、撮影ボタン２１１を押下すると、ＣＰＵ２０３は、撮影ボタン２１１が押下されたことを検知し、撮影動作の開始を指示する。
【００６５】
具体的に、ＣＰＵ２０３は、撮影ボタン２１１の押下による使用者からの撮影動作開始要求により、放射線画像撮像装置１００へ撮影準備指示を与える。この撮影準備指示を受けた放射線画像撮像装置１００は、被写体１０００の撮影準備を行う。その後、ＣＰＵ２０３は、放射線発生装置２０２の動作制御を行うことで、放射線源２０１から放射線を発生させる。
【００６６】
被写体１０００を透過した放射線（放射線像）は、放射線画像撮像装置１００の放射線検出部１０１５で検出され、上述した方法によりデジタル放射線画像として放射線画像撮像装置１００内で取得される。その後、放射線画像撮像装置１００で取得された放射線画像は、通信装置２０９を介して記憶デバイス２０５（或いはメモリ２０４）に格納される。
【００６７】
また、記憶デバイス２０５（或いはメモリ２０４）に格納されている放射線画像は、必要に応じて、バス２０８を介して表示装置２０７へ送信されて表示される。これにより、放射線画像撮像装置１００によって撮像された放射線画像を使用者が閲覧することが可能となる。
【００６８】
本実施形態の放射線画像撮像システム１０では、記憶デバイス２０５及びメモリ２０４は、放射線画像撮像装置１００の通信部１０５から出力される放射線検出部１０１５の特性判断結果の情報を格納することも可能である。即ち、特性判断部１１１によって判断された放射線検出部１０１５の特性判断結果は、記憶デバイス２０５（或いはメモリ２０４）に格納され、表示装置２０７に表示することが可能である。したがって、使用者は、表示装置２０７を介して放射線検出部１０１５の特性が経時変化しているか否かの情報を得ることが可能である。これにより、使用者は、その情報提供に基づき、放射線検出部１０１５の特性に係る較正作業をするなどの適切な処置を行うことができる。
【００６９】
次に、第１の実施形態に係る放射線画像撮像システム１０の駆動方法における処理手順について説明する。
【００７０】
図３−１及び図３−２は、本発明の第１の実施形態に係る放射線画像撮像システムの駆動方法における処理手順の一例を示すフローチャートである。なお、本実施形態では、図３−１及び図３−２に示す処理は、図１に示す放射線画像撮像装置１００において行われる。
【００７１】
まず、図３−１に示す基準照明画像の撮影に係るフローチャートについて説明する。
図３−１のステップＳ１０１において、制御部１０６は、上述した基準照明画像の撮影を実行するか否かを判断する。
【００７２】
ステップＳ１０１の判断の結果、基準照明画像の撮影を実行する場合には、ステップＳ１０２に進む。ステップＳ１０２に進むと、制御部１０６は、基準照明画像の撮影を実行する制御を行う。この場合、制御部１０６は、面状発光体１０１４を用いて光電変換部１０１３に構成されている複数の画素を照明する制御を行う。そして、制御部１０６は、光電変換部１０１３に、面状発光体１０１４によって照明された光に基づく基準照明画像を撮像（撮影）させる。この際、基準照明画像は、アナログ信号からなるものである。
【００７３】
続いて、ステップＳ１０３において、照明画像取得部１０７は、ステップＳ１０２で撮像（撮影）された基準照明画像を取得する処理を行う。その後、照明画像取得部１０７で取得された基準照明画像は、Ａ／Ｄ変換部１０８においてデジタル化された後、照明画像記憶部１０９に記憶される。
【００７４】
ステップＳ１０３の処理が終了した場合、或いは、ステップＳ１０１で基準照明画像の撮影を実行しないと判断された場合には、図３−１に示すフローチャートを終了する。
【００７５】
次に、図３−２に示す比較用照明画像の撮影に係るフローチャートについて説明する。
図３−２のステップＳ２０１において、制御部１０６は、上述した比較用照明画像の撮影を実行するか否かを判断する。
【００７６】
ステップＳ２０１の判断の結果、比較用照明画像の撮影を実行する場合には、ステップＳ２０２に進む。ステップＳ２０２に進むと、制御部１０６は、比較用照明画像の撮影を実行する制御を行う。この場合、制御部１０６は、面状発光体１０１４を用いて光電変換部１０１３に構成されている複数の画素を照明する制御を行う。そして、制御部１０６は、光電変換部１０１３に、面状発光体１０１４によって照明された光に基づく比較用照明画像を撮像（撮影）させる。この際、比較用照明画像は、アナログ信号からなるものである。
【００７７】
続いて、ステップＳ２０３において、照明画像取得部１０７は、ステップＳ２０２で撮像（撮影）された比較用照明画像を取得する処理を行う。その後、照明画像取得部１０７で取得された比較用照明画像は、Ａ／Ｄ変換部１０８においてデジタル化された後、照明画像記憶部１０９に記憶される。
【００７８】
続いて、ステップＳ２０４において、照明画像比較部１１０は、照明画像記憶部１０９に記憶されている、基準照明画像と比較用照明画像とを比較する処理を行う。この際の比較方法としては、例えば、上述した第１の例〜第６の例として示した各種の比較方法を適用することができる。さらには、例えば、ステップＳ２０２において複数の比較用照明画像を撮影し、基準照明画像と当該複数の比較用照明画像とを比較する形態であっても適用可能である。
【００７９】
続いて、ステップＳ２０５において、特性判断部１１１は、照明画像比較部１１０による比較の結果に基づいて、放射線検出部１０１５の特性が変化したか否かを判断する処理を行う。その後、特性判断部１１１による判断結果の情報は、通信部１０５を介して放射線画像撮像装置１００の外部に送信される。具体的に、通信部１０５を介して送信された特性判断部１１１による判断結果の情報は、通信装置２０９を経由して記憶デバイス２０５（或いはメモリ２０４）に格納され、その後、必要に応じて表示装置２０７に表示される。
【００８０】
ステップＳ２０５の処理が終了した場合、或いは、ステップＳ２０１で比較用照明画像の撮影を実行しないと判断された場合には、図３−２に示すフローチャートを終了する。
【００８１】
第１の実施形態によれば、特性判断部１１１において、照明画像比較部１１０による比較結果に基づいて放射線検出部１０１５の特性が変化したか否かを判断するようにしているため、放射線検出部の特性に対する較正作業の有無を使用者が把握することができる。例えば、特性判断部１１１による判断結果の情報を表示装置２０７に表示すれば、使用者は、その判断結果の情報を見て、較正作業が必要か否かを判断することができる。したがって、使用者は、例えば毎回始業時に較正作業を行う手間が省けるため、使用者の負担が軽減される。また、放射線検出部１０１５の特性が変化している旨の判断結果の情報が通知された場合に使用者が較正作業を実施することにより、被写体の放射線撮影後に当該放射線画像のコントラストの低下に気づくことが無くなり、被写体への放射線被曝の低減にも繋がる。さらに、放射線の照射による放射線画像の撮影を行うこと無く、照明画像から較正作業の時期を正確に判断することが可能であるため、使用者の介在を必要としない。そのため、例えば、毎回起動時などに、較正作業の時期を判断し、使用者へ適切な情報提供をすることで、常に、所期の性能を維持した状態で放射線画像撮像装置を使用することが可能となる。
【００８２】
（第２の実施形態）
次に、本発明の第２の実施形態について説明する。
図４は、本発明の第２の実施形態に係る放射線画像撮像装置の概略構成の一例を示す模式図である。また、図５は、本発明の第２の実施形態に係る放射線画像撮像システムの概略構成の一例を示す模式図である。図４及び図５において、図１及び図２と同様の構成については、同じ符号を付している。
【００８３】
第１の実施形態では、放射線画像撮像装置１００の内部に照明画像比較部１１０及び特性判断部１１１が構成され、特性判断部１１１の判断結果の情報を通信部１０５から出力する形態であったが、本発明では、必ずしもこの形態に限定されるわけではない。例えば、図４に示す放射線画像撮像装置２００のように、その内部に照明画像比較部１１０及び特性判断部１１１を構成せず、図５に示す放射線画像撮像システム２０のように、放射線画像撮像装置２００の外部にこれらを構成する形態も適用可能である。
【００８４】
この第２の実施形態の場合には、照明画像記憶部１０９に記憶されている基準照明画像及び比較用照明画像が通信部１０５から出力され、例えば、記憶デバイス２０５（或いはメモリ２０４）に格納される。そして、照明画像比較部１１０は、バス２０８を介して記憶デバイス２０５（或いはメモリ２０４）に格納されている基準照明画像及び比較用照明画像にアクセスし、第１の実施形態と同様に比較の処理を行う。さらに、照明画像比較部１１０による比較の結果が特性判断部１１１に通知され、特性判断部１１１は、第１の実施形態と同様に放射線検出部１０１５の特性判断を行う。そして、特性判断部１１１による判断結果の情報は、記憶デバイス２０５（或いはメモリ２０４）に格納され、その後、必要に応じて表示装置２０７に表示されて、使用者へ情報提供される。なお、本実施形態における照明画像比較部１１０及び特性判断部１１１が実行する処理は、例えば、ＣＰＵ２０３でも代替可能である。
【００８５】
また、第２の実施形態に係る放射線画像撮像システム２０の駆動方法における処理手順については、通信部１０５から出力する情報が異なる以外、第１の実施形態で説明した図３−１及び図３−２に示す処理と同様である。
【００８６】
第２の実施形態によれば、上述した第１の実施形態における効果と同様の効果を得ることができる。
【００８７】
（第３の実施形態）
次に、本発明の第３の実施形態について説明する。
図６は、本発明の第３の実施形態に係る放射線画像撮像装置の概略構成の一例を示す模式図である。ここで、図６において、図１と同様の構成については、同じ符号を付しており、その詳細な説明については省略する。
【００８８】
具体的に、図６に示す第３の実施形態に係る放射線画像撮像装置３００は、図１に示す第１の実施形態に係る放射線画像撮像装置１００の照明画像比較部１１０及び特性判断部１１１に替えて、画像比較部３０１及び不良判断部３０２が構成されている。
【００８９】
画像比較部３０１は、照明画像記憶部１０９に記憶されている照明画像と、メモリ１０３に記憶されている、蛍光体１０１２によって放射線から変換された光に基づいて光電変換部１０１３で撮像された放射線画像とを比較するものである。この際、照明画像と比較される放射線画像としては、例えば、被写体１０００に係る画像、ゲイン画像及びオフセット画像のうちのいずれか、もしくは全てを適用することができる。ここで、ゲイン画像は、上述したゲインのばらつきを補正する処理に使用するための画像（画像データ）であり、オフセット画像は、オフセットを補正する処理に使用するための画像（画像データ）である。
【００９０】
画像比較部３０１が、照明画像と、放射線画像（被写体１０００に係る画像、ゲイン画像及びオフセット画像のうちのいずれか、もしくは全て）とを比較する理由は、蛍光体１０１２の不良を見つけ出すためである。
【００９１】
そして、不良判断部３０２は、画像比較部３０１による比較の結果に基づいて、蛍光体１０１２に不良が生じているか否かを判断する。
【００９２】
ここで、画像比較部３０１による比較方法、並びに、不良判断部３０２による蛍光体１０１２の不良に係る判断処理の一例について説明する。
【００９３】
具体的に、画像比較部３０１は、照明画像の各画素値と、放射線画像（被写体１０００に係る画像、ゲイン画像及びオフセット画像のうちのいずれか、もしくは全て）の各画素値とを比較する。そして、不良判断部３０２は、照明画像の画素値は正常な値だが、当該放射線画像の各画素値が不正な値であった場合には、蛍光体１０１２が劣化し、不良が生じていると判断する。
【００９４】
また、第３の実施形態に係る放射線画像撮像システムの構成については、図１に示す第１の実施形態に係る放射線画像撮像システム１０において、放射線画像撮像装置１００に替えて、図６に示す放射線画像撮像装置３００を適用したものとなる。
【００９５】
この場合、不良判断部３０２による判断結果の情報は、通信部１０５を介して放射線画像撮像装置３００の外部に送信される。そして、通信部１０５を介して送信された不良判断部３０２による判断結果の情報は、通信装置２０９を経由して記憶デバイス２０５（或いはメモリ２０４）に格納され、その後、必要に応じて表示装置２０７に表示される。したがって、使用者は、表示装置２０７を介して蛍光体１０１２の劣化状態を把握することが可能となり、蛍光体１０１２の交換などの適切な処置を行うことができる。
【００９６】
次に、第３の実施形態に係る放射線画像撮像システムの駆動方法における処理手順について説明する。
【００９７】
図７−１及び図７−２は、本発明の第３の実施形態に係る放射線画像撮像システムの駆動方法における処理手順の一例を示すフローチャートである。なお、本実施形態では、図７−１及び図７−２に示す処理は、図６に示す放射線画像撮像装置３００において行われる。
【００９８】
まず、図７−１に示す照明画像の撮影に係るフローチャートについて説明する。
図７−１のステップＳ３０１において、制御部１０６は、上述した照明画像の撮影を実行するか否かを判断する。
【００９９】
ステップＳ３０１の判断の結果、照明画像の撮影を実行する場合には、ステップＳ３０２に進む。ステップＳ３０２に進むと、制御部１０６は、照明画像の撮影を実行する制御を行う。この場合、制御部１０６は、面状発光体１０１４を用いて光電変換部１０１３に構成されている複数の画素を照明する制御を行う。そして、制御部１０６は、光電変換部１０１３に、面状発光体１０１４によって照明された光に基づく照明画像を撮像（撮影）させる。この際、照明画像は、アナログ信号からなるものである。
【０１００】
続いて、ステップＳ３０３において、照明画像取得部１０７は、ステップＳ３０２で撮像（撮影）された照明画像を取得する処理を行う。その後、照明画像取得部１０７で取得された照明画像は、Ａ／Ｄ変換部１０８においてデジタル化された後、照明画像記憶部１０９に記憶される。
【０１０１】
ステップＳ３０３の処理が終了した場合、或いは、ステップＳ３０１で照明画像の撮影を実行しないと判断された場合には、図７−１に示すフローチャートを終了する。
【０１０２】
次に、図７−２に示す放射線画像の撮影に係るフローチャートについて説明する。
図７−２のステップＳ４０１において、制御部１０６は、上述した放射線画像の撮影を実行するか否かを判断する。この際、放射線画像の撮影としては、被写体１０００に係る画像、ゲイン画像及びオフセット画像のうちのいずれか、もしくは全ての撮影である。
【０１０３】
ステップＳ４０１の判断の結果、放射線画像の撮影を実行する場合には、ステップＳ４０２に進む。ステップＳ４０２に進むと、制御部１０６は、放射線画像（被写体１０００に係る画像、ゲイン画像及びオフセット画像のうちのいずれか、もしくは全て）の撮影を実行する制御を行う。この場合、光電変換部１０１３は、放射線源２０１から放射された放射線に基づき蛍光体１０１２で変換された可視光（可視光像）に基づいて、上述した放射線画像の撮像（撮影）を行う。この際、放射線画像は、アナログ信号からなるものである。
【０１０４】
続いて、ステップＳ４０３において、Ａ／Ｄ変換部１０２は、ステップＳ４０２で撮像（撮影）された放射線画像を取得し、当該放射線画像のデジタル化を行う。その後、Ａ／Ｄ変換部１０２は、デジタル化を行った放射線画像をメモリ１０３に記憶する。
【０１０５】
続いて、ステップＳ４０４において、画像比較部３０１は、照明画像記憶部１０９に記憶されている照明画像と、メモリ１０３に記憶されている放射線画像とを比較する。
【０１０６】
続いて、ステップＳ４０５において、不良判断部３０２は、画像比較部３０１による比較の結果に基づいて、蛍光体１０１２に不良が生じているか否かを判断する処理を行う。その後、不良判断部３０２による判断結果の情報は、通信部１０５を介して放射線画像撮像装置３００の外部に送信される。具体的に、通信部１０５を介して送信された不良判断部３０２による判断結果の情報は、通信装置２０９を経由して記憶デバイス２０５（或いはメモリ２０４）に格納され、その後、必要に応じて表示装置２０７に表示される。
【０１０７】
ステップＳ４０５の処理が終了した場合、或いは、ステップＳ４０１で放射線画像の撮影を実行しないと判断された場合には、図７−２に示すフローチャートを終了する。
【０１０８】
第３の実施形態によれば、上述した第１の実施形態における効果と同様に、放射線検出部１０１５の特性に対する較正作業の有無を使用者が把握することができる。特に、第３の実施形態によれば、放射線検出部１０１５の蛍光体１０１２に関する不良（経時劣化）を判断することが可能である。したがって、第３の実施形態では、蛍光体１０１２の経時劣化を判断することができるので、使用者は、その情報に基づいて、放射線検出部（蛍光体）のメンテナンスを依頼するなどの処置が可能となる。
【０１０９】
（第４の実施形態）
次に、本発明の第４の実施形態について説明する。
第３の実施形態では、放射線画像撮像装置３００の内部に画像比較部３０１及び不良判断部３０２が構成され、不良判断部３０２の判断結果の情報を通信部１０５から出力する形態であったが、本発明では、必ずしもこの形態に限定されるわけではない。例えば、第２の実施形態のように、画像比較部３０１及び不良判断部３０２を放射線画像撮像装置３００の外部に設けるようにした形態も適用可能である。この場合、第４の実施形態に係る放射線画像撮像装置は、図６の画像比較部３０１及び不良判断部３０２を構成せずに、通信部１０５から、照明画像記憶部１０９に記憶されている照明画像とメモリ１０３に記憶されている放射線画像を外部に送信する形態を採る。また、この場合、第４の実施形態に係る放射線画像撮像システムの構成については、図５に示す照明画像比較部１１０及び特性判断部１１１に替えて、図６に示す画像比較部３０１及び不良判断部３０２を適用したものとなる。
【０１１０】
この第４の実施形態の場合、照明画像記憶部１０９に記憶されている照明画像は、通信部１０５から出力されて記憶デバイス２０５（或いはメモリ２０４）に格納される。また、メモリ１０３に記憶されている放射線画像（被写体１０００に係る画像、ゲイン画像及びオフセット画像のうちのいずれか、もしくは全て）は、通信部１０５から出力されて記憶デバイス２０５（或いはメモリ２０４）に格納される。
【０１１１】
そして、画像比較部３０１は、バス２０８を介して記憶デバイス２０５（或いはメモリ２０４）に格納されている照明画像及び放射線画像にアクセスし、第３の実施形態と同様に比較の処理を行う。さらに、画像比較部３０１による比較の結果が不良判断部３０２に通知され、不良判断部３０２は、蛍光体１０１２の劣化状態を判断する。そして、不良判断部３０２による判断結果の情報は、記憶デバイス２０５（或いはメモリ２０４）に格納され、その後、必要に応じて表示装置２０７に表示されて、使用者へ情報提供される。なお、本実施形態における画像比較部３０１及び不良判断部３０２が実行する処理は、例えば、ＣＰＵ２０３でも代替可能である。
【０１１２】
また、第４の実施形態に係る放射線画像撮像システムの駆動方法における処理手順については、通信部１０５から出力する情報が異なる以外、第３の実施形態で説明した図７−１及び図７−２に示す処理と同様である。
【０１１３】
第４の実施形態によれば、上述した第３の実施形態における効果と同様の効果を得ることができる。
【０１１４】
前述した各実施形態に係る放射線画像撮像システムの駆動方法を示す図３−１、図３−２、図７−１及び図７−２の各ステップは、コンピュータのＣＰＵがＲＡＭやＲＯＭなどのメモリに記憶されたプログラムを実行することによって実現できる。このプログラム及び当該プログラムを記録したコンピュータ読み取り可能な記憶媒体は本発明に含まれる。
【０１１５】
具体的に、前記プログラムは、例えばＣＤ−ＲＯＭのような記憶媒体に記録し、或いは各種伝送媒体を介し、コンピュータに提供される。前記プログラムを記録する記憶媒体としては、ＣＤ−ＲＯＭ以外に、フレキシブルディスク、ハードディスク、磁気テープ、光磁気ディスク、不揮発性メモリカード等を用いることができる。他方、前記プログラムの伝送媒体としては、プログラム情報を搬送波として伝搬させて供給するためのコンピュータネットワーク（ＬＡＮ、インターネットの等のＷＡＮ、無線通信ネットワーク等）システムにおける通信媒体を用いることができる。また、この際の通信媒体としては、光ファイバ等の有線回線や無線回線などが挙げられる。
【０１１６】
また、本発明は、コンピュータが供給されたプログラムを実行することにより各実施形態に係る放射線画像撮像システムの機能が実現される態様に限られない。そのプログラムがコンピュータにおいて稼働しているＯＳ（オペレーティングシステム）或いは他のアプリケーションソフト等と共同して各実施形態に係る放射線画像撮像システムの機能が実現される場合も、かかるプログラムは本発明に含まれる。また、供給されたプログラムの処理の全て、或いは一部がコンピュータの機能拡張ボードや機能拡張ユニットにより行われて各実施形態に係る放射線画像撮像システムの機能が実現される場合も、かかるプログラムは本発明に含まれる。
【０１１７】
また、前述した本実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【０１１８】
【図１】本発明の第１の実施形態に係る放射線画像撮像装置の概略構成の一例を示す模式図である。
【図２】本発明の第１の実施形態に係る放射線画像撮像システムの概略構成の一例を示す模式図である。
【図３−１】本発明の第１の実施形態に係る放射線画像撮像システムの駆動方法における処理手順の一例を示すフローチャートである。
【図３−２】本発明の第１の実施形態に係る放射線画像撮像システムの駆動方法における処理手順の一例を示すフローチャートである。
【図４】本発明の第２の実施形態に係る放射線画像撮像装置の概略構成の一例を示す模式図である。
【図５】本発明の第２の実施形態に係る放射線画像撮像システムの概略構成の一例を示す模式図である。
【図６】本発明の第３の実施形態に係る放射線画像撮像装置の概略構成の一例を示す模式図である。
【図７−１】本発明の第３の実施形態に係る放射線画像撮像システムの駆動方法における処理手順の一例を示すフローチャートである。
【図７−２】本発明の第３の実施形態に係る放射線画像撮像システムの駆動方法における処理手順の一例を示すフローチャートである。
【図８】従来例を示し、放射線画像撮像装置の概略構成の一例を示す模式図である。
【符号の説明】
【０１１９】
１００  放射線画像撮像装置
１０１  筐体
１０１１  グリッド
１０１２  蛍光体
１０１３  光電変換部
１０１４  面状発光体
１０１５  放射線検出部
１０２  Ａ／Ｄ変換部
１０３  メモリ
１０４  画像処理部
１０５  通信部
１０６  制御部
１０７  照明画像取得部
１０８  Ａ／Ｄ変換部
１０９  照明画像記憶部
１１０  照明画像比較部
１１１  特性判断部
２０１  放射線源
２０１Ａ  放射線
１０００  被写体
【図１】
0005247221.tif 000002
【図２】
0005247221.tif 000003
【図３−１】
0005247221.tif 000004
【図３−２】
0005247221.tif 000005
【図４】
0005247221.tif 000006
【図５】
0005247221.tif 000007
【図６】
0005247221.tif 000008
【図７−１】
0005247221.tif 000009
【図７−２】
0005247221.tif 000010
【図８】
0005247221.tif 000011